(57)【要約】【課題】レンズモジュールの組立て効率を高め、同時に人力のコストを大幅に抑えることができる、レンズモジュール内に用いるフィルターアセンブリを提供すること。【解決手段】固定座体２０の中央に中空部２１が設けられ、中空部２１の周囲に、固定座体２０から中空部２１に向かって延伸された支持部２２が設けられ、支持部２２と固定座体２０の間に第１接着空間２３が形成され、フィルター片３０が中空部２１に設置されて支持部２２で支持され、フィルター片３０の外周縁が第１接着空間２３内に延伸され、環状を呈する遮光片４０が、フィルター片３０の支持部２２に相対する一面上に設置され、遮光片４０の外周縁が第１接着空間２３内に延伸され、第１接着空間２３内に注入されて成型された接着部材５０が、フィルター片３０と遮光片４０を固定座体２０に固定する。【選択図】図５
2020144351.tif 000002
【特許請求の範囲】
【請求項１】
レンズモジュール内に用いるフィルターアセンブリであって、固定座体と、フィルター片と、遮光片と、接着部材を含み、
前記固定座体が中央に中空部を備え、該中空部の周囲に、前記固定座体から前記中空部に向かって延伸された支持部が設けられ、かつ、該支持部と前記固定座体の間に第１接着空間が形成され、
前記フィルター片が、前記固定座体の中空部の位置に設置され、かつ前記支持部により支持され、該フィルター片の外周縁が該第１接着空間内まで延伸され、
前記遮光片が、環状を呈し、かつ前記フィルター片の前記支持部に相対する一面上に設置され、該遮光片の外周縁が該第１接着空間内まで延伸され、
前記接着部材は、前記第１接着空間内に注入された粘着性を備えた材料が冷却して成型され、前記フィルター片と前記遮光片を前記中空部の位置に留まらせ、前記フィルター片及び前記遮光片を前記固定座体上に固定する、
ことを特徴とする、レンズモジュール内に用いるフィルターアセンブリ。
【請求項２】
前記粘着性を備えた材料がシリコンであることを特徴とする、請求項１に記載のレンズモジュール内に用いるフィルターアセンブリ。
【請求項３】
前記支持部が支持台を含み、前記フィルター片が該支持台上に載置されることを特徴とする、請求項１に記載のレンズモジュール内に用いるフィルターアセンブリ。
【請求項４】
前記支持台上に第２接着空間が凹設され、該第２接着空間が内部にさらに補助接着部材を含み、前記フィルター片と前記支持台が該補助接着部材により接着されることを特徴とする、請求項３に記載のレンズモジュール内に用いるフィルターアセンブリ。
【請求項５】
前記補助接着部材が、粘着性を備えた材料が前記第２接着空間内に注入されて形成され、前記支持部上に載置された前記フィルター片が、該補助接着部材により前記支持部上に位置決めされることを特徴とする、請求項４に記載のレンズモジュール内に用いるフィルターアセンブリ。
【請求項６】
前記第２接着空間内に注入される前記粘着性を備えた材料がシリコンであることを特徴とする、請求項５に記載のレンズモジュール内に用いるフィルターアセンブリ。
【請求項７】
前記接着部材上に、前記フィルター片と前記遮光片の外周縁を取り囲む接着槽が設けられ、該フィルター片と該遮光片の外周部が該接着槽により被覆されることを特徴とする、請求項１に記載のレンズモジュール内に用いるフィルターアセンブリ。
【請求項８】
前記接着槽が、第１接着面と、該第１接着面に相対する第２接着面と、該第１接着面と該第２接着面の間に連接された第３接着面と、で形成されることを特徴とする、請求項７に記載のレンズモジュール内に用いるフィルターアセンブリ。
【請求項９】
前記第１接着面が、前記遮光片を備えた前記フィルター片の一面に位置し、かつ前記フィルター片の一部及び前記遮光片の一部とそれぞれ相互に接着されることを特徴とする、請求項８に記載のレンズモジュール内に用いるフィルターアセンブリ。
【請求項１０】
前記第２接着面が、前記フィルター片の前記遮光片と相対する他面に位置し、かつ該フィルター片の一部と相互に接着されることを特徴とする、請求項８に記載のレンズモジュール内に用いるフィルターアセンブリ。
【発明の詳細な説明】
【技術分野】
【０００１】
本発明は、レンズモジュールの組立て効率を高め、同時に人力のコストを大幅に抑えることができる、レンズモジュール内に用いるフィルターアセンブリに関する。
【背景技術】
【０００２】
フィルターは、主にレンズモジュール内に設置されて光線をろ過するために用いられ、それにより該レンズモジュールの良好な結像品質を確保する。
通常、フィルターは、ディスペンサーによる接着剤塗布方式でスペーサリング上に接着される。このような接着剤塗布方式は接着剤の変質、不均一な塗布または不完全な硬化等の問題により、フィルターとスペーサリング間の接着力が不足して、フィルターとスペーサリングが剥離しやすく、レンズモジュールの効果が失われ、生産の歩留まり低下を招きやすい。
【０００３】
また、特許文献１に記載されたレンズモジュールは、レンズバレルと、該レンズバレル内に収容されるフィルター片とスペーサリングを含む。該フィルター片と該スペーサリングは一体成型構造である。該レンズモジュールは、該フィルター片と該スペーサリングが一体成型構造であるため、該フィルター片が該スペーサリング上にしっかり固定され、該スペーサリング上から脱落することがなく、該フィルター片と該スペーサリング間の接着剤塗布工程を回避でき、製品の生産歩留まりを向上することができる。
【０００４】
上記特許文献１に記載のレンズモジュールは７、フィルター片がスペーサリング上から脱落することを回避できるが、該スペーサリングが射出成型方式で該フィルター片の周縁に直接形成されるため、該フィルター片が成型金型内に設置されたとき、樹脂材料が該成型金型内で逃げる現象を回避するために、該成型金型を通じて該フィルター片に対し一定の挟持力を生じる必要があり、該フィルター片が該成型金型内で破裂する現象が生じやすい。
また、樹脂材料が冷却する過程で、スペーサリングの変形が引き起こされ、該スペーサリングを該レンズモジュール内に組み込むときにずれが生じやすくなり、該レンズモジュールの結像品質に影響を与える。
【先行技術文献】
【特許文献】
【０００５】
【特許文献１】台湾特許公告第Ｉ３６６７３７号明細書
【発明の概要】
【発明が解決しようとする課題】
【０００６】
本発明が解決しようとする課題は、レンズモジュールの組立て効率を高め、同時に人力のコストを大幅に抑えることができる、レンズモジュール内に用いるフィルターアセンブリを提供することにある。
【課題を解決するための手段】
【０００７】
本発明のレンズモジュール内に用いるフィルターアセンブリは、固定座体と、フィルター片と、遮光片と、接着部材を含み、前記固定座体が中央に中空部を備え、該中空部の周囲に、前記固定座体から前記中空部に向かって延伸された支持部が設けられ、かつ、該支持部と前記固定座体の間に第１接着空間が形成され、前記フィルター片が、前記固定座体の中空部の位置に設置され、かつ前記支持部により支持され、該フィルター片の外周縁が該第１接着空間内まで延伸され、前記遮光片が、環状を呈し、かつ前記フィルター片の前記支持部に相対する一面上に設置され、該遮光片の外周縁が該第１接着空間内まで延伸され、前記接着部材は、前記第１接着空間内に注入された粘着性を備えた材料が冷却して成型され、前記フィルター片と前記遮光片を前記中空部の位置に留まらせ、前記フィルター片及び前記遮光片を前記固定座体上に固定する。
【０００８】
一実施例において、前記粘着性を備えた材料がシリコンである。
【０００９】
一実施例において、前記支持部が支持台を含み、前記フィルター片が該支持台上に載置される。
【００１０】
一実施例において、前記支持台上に第２接着空間が凹設され、該第２接着空間が内部にさらに補助接着部材を含み、前記フィルター片と前記支持台が該補助接着部材により接着される。
【００１１】
一実施例において、前記補助接着部材が、粘着性を備えた材料が前記第２接着空間内に注入されて形成され、前記支持部上に載置された前記フィルター片が、該補助接着部材により前記支持部上に位置決めされる。
【００１２】
一実施例において、前記第２接着空間内に注入される前記粘着性を備えた材料がシリコンである。
【００１３】
一実施例において、前記接着部材上に、前記フィルター片と前記遮光片の外周縁を取り囲む接着槽が設けられ、該フィルター片と該遮光片の外周部が該接着槽により被覆される。
【００１４】
一実施例において、前記接着槽が、第１接着面と、該第１接着面に相対する第２接着面と、該第１接着面と該第２接着面の間に連接された第３接着面と、で形成される。
【００１５】
一実施例において、前記第１接着面が、前記遮光片を備えた前記フィルター片の一面に位置し、かつ前記フィルター片の一部及び前記遮光片の一部とそれぞれ相互に接着される。
【００１６】
一実施例において、前記第２接着面が、前記フィルター片の前記遮光片と相対する他面に位置し、かつ該フィルター片の一部と相互に接着される。
【発明の効果】
【００１７】
本発明のフィルターアセンブリは、従来技術と比較して次の利点を備えている。
１．接着部材を通じてフィルター片と遮光片を同時に固定座体上に固定し、フィルターアセンブリを一体成型で形成でき、これによりフィルターアセンブリを迅速にレンズモジュール内に取り付けることができる。
２．フィルター片と遮光片が接着部材により固定座体と相互に接着され、従来の固定座体のように、射出成型方式でフィルター片上に形成されるとき、収縮により変形することがなく、フィルターアセンブリの生産歩留まりを大幅に向上することができる。
【図面の簡単な説明】
【００１８】
【図１】本発明の実施例を示すレンズモジュール内に用いるフィルターアセンブリの分解斜視図である。
【図２】本発明の実施例を示すレンズモジュール内に用いるフィルターアセンブリの別角度から見た分解斜視図である。
【図３】本発明の実施例を示すレンズモジュール内に用いるフィルターアセンブリの平面図である。
【図４】図３のＡ−Ａ断面図である。
【図５】図４の部分拡大図である。
【発明を実施するための形態】
【００１９】
以下、本発明の実施例を図面に基づいて詳細に説明する。
図１から図５に示すように、本発明のレンズモジュール内に用いるフィルターアセンブリ１０は、固定座体２０と、フィルター片３０と、遮光片４０と、接着部材５０と、補助接着部材６０を含む。
【００２０】
固定座体２０は樹脂材料を射出成型方式で成型して成り、固定座体２０の中央に中空部２１が設けられる。中空部２１の周囲には、固定座体２０から中空部２１に向かって延伸された支持部２２が設けられ、かつ支持部２２と固定座体２０の間に第１接着空間２３が形成される。
また、支持部２２上にさらに支持台２４が形成され、かつ支持台２４上に第２接着空間２５が設けられる。
【００２１】
フィルター片３０は中空部２１上に設置され、支持部２２の支持台２４上に載置され、かつ、フィルター片３０の外周縁が第１接着空間２３内まで延伸される。
【００２２】
遮光片４０は、環状を呈し、フィルター片３０上に設置されると共に、支持部２２に相対し、かつ、遮光片４０の外周縁が第１接着空間２３内まで延伸される。
【００２３】
接着部材５０は、粘着性を備えた材料を第１接着空間２３内に注入し、冷却後に成型され、接着部材５０に第１接着空間２３内でフィルター片３０と遮光片４０の外周縁を同時に被覆させる。
接着部材５０が粘着性を備えているため、接着部材５０が第１接着空間２３内部で成型されると、フィルター片３０と遮光片４０を効果的に固定座体２０と相互に接合でき、かつ、フィルター片３０を中空部２１の位置に効果的に配置することができる。
【００２４】
本実施例のフィルターアセンブリ１０を実際に製造するには、先に射出成型方式で固定座体２０を形成してから、固定座体２０を下ダイホルダー（図示しない）内に設置し、続いて固定座体２０の第２接着空間２５内に粘着性を備えた材料を注入した後、フィルター片３０と遮光片４０を順に中空部２１内に入れ、フィルター片３０を支持台２４上に載置し、かつ支持部２２と相互に接合して、予め支持部２２上に位置決めする。
その後、上ダイホルダー（図示しない）を該下ダイホルダー上に被せ、さらに粘着性を備えた材料を上ダイホルダーと下ダイホルダーの間に注入し、該粘着性を備えた材料を第１接着空間２３内に充填して、該粘着性を備えた材料がそれぞれ第１接着空間２３及び第２接着空間２５内で冷却されるのを待つと、第１接着空間２３内に接着部材５０が形成され、第２接着空間２５内に補助接着部材６０が形成される。
最後に成型されたフィルターアセンブリ１０を上ダイホルダーと下ダイホルダーの間から取り出す。
【００２５】
補助接着部材６０は、接着部材５０と同じ粘着性を備えた材料を、予め第２接着空間２５内に注入しておき、フィルター片３０を支持部２２上に載置した跡に成型され、フィルター片３０を支持部２２上にしっかり固定することができ、接着部材５０の成型時にフィルター片３０が支持部２２上でずれる現象の発生を回避できる。
【００２６】
前述の粘着性を備えた材料は、主にシリコンである。シリコンは高い粘着性、低い融点等の特性を備えている。該シリコンは第１接着空間２３と第２接着空間２５内部に注入される前に、加熱を経て液体状にされ、これにより第１接着空間２３と第２接着空間２５内に容易に注入することができる。
シリコンは低融点の特性を備えているため、固定座体２０に溶融現象を生じさせることがなく、固定座体２０の変形も引き起こすことがない。同時に、該シリコンが冷却を経て成型された後、フィルター片３０と遮光片４０が固定座体２０上にしっかりと保持され、フィルターアセンブリ１０の生産歩留まりを向上することができる。
【００２７】
接着部材５０が第１接着空間２３内部で成型されると、接着部材５０には、フィルター片３０と遮光片４０の外周縁を取り囲む接着槽５１が形成され、接着槽５１がフィルター片３０と遮光片４０の外周部を被覆する。
接着槽５１は、第１接着面５２と、第１接着面５２に相対する第２接着面５３と、第１接着面５２と第２接着面５３の間に連接された第３接着面５４を含む。第１接着面５２は遮光片４０を備えたフィルター片３０の一面上に位置し、かつフィルター片３０の一部及び該遮光片４０の一部とそれぞれ相互に接着される。第２接着面５３はフィルター片３０の他面上に位置し、かつフィルター片３０の一部と相互に接着され、フィルター片３０と遮光片４０が固定座体２０上にしっかりと粘着されるよう確約する。
【００２８】
これにより、フィルターアセンブリはより高い生産歩留まりを達成することができ、レンズモジュール（図示しない）内部に取り付けたとき、フィルター片と固定座体に剥離が生じる現象を効果的に防止でき、レンズモジュールは良好な結像品質が得られ、レンズモジュールの使用寿命が延長される。
【００２９】
以上は、本発明の実施例にすぎず、これを以って本発明の権利範囲を限定することはできない。当業者による本発明の要旨を逸脱しない同等効果の修飾や変化は、いずれも本発明の権利範囲に含まれる。
【符号の説明】
【００３０】
１０  フィルターアセンブリ
２０  固定座体
２１  中空部
２２  支持部
２３  第１接着空間
２４  支持台
２５  第２接着空間
３０  フィルター片
４０  遮光片
５０  接着部材
５１  接着槽
５２  第１接着面
５３  第２接着面
５４  第３接着面
６０  補助接着部材
【図１】
2020144351.tif 000003
【図２】
2020144351.tif 000004
【図３】
2020144351.tif 000005
【図４】
2020144351.tif 000006
【図５】
2020144351.tif 000007
【手続補正書】
【提出日】令和2年6月18日(2020.6.18)
【手続補正１】
【補正対象書類名】明細書
【補正対象項目名】０００７
【補正方法】変更
【補正の内容】
【０００７】
本発明のレンズモジュール内に用いるフィルターアセンブリは、固定座体と、フィルター片と、遮光片と、接着部材を含み、前記固定座体が中央に中空部を備え、該中空部の周囲に、前記固定座体から前記中空部に向かって延伸された支持部が設けられ、かつ、該支持部と前記固定座体の間に第１接着空間が形成され、前記フィルター片が、前記固定座体の中空部の位置に設置され、かつ前記支持部により支持され、該フィルター片の外周縁が該第１接着空間内まで延伸され、前記遮光片が、環状を呈し、かつ前記フィルター片の前記支持部と互いに向かい合う面とは反対側の面上に設置され、該遮光片の外周縁が該第１接着空間内まで延伸され、前記接着部材は、前記第１接着空間内に注入された粘着性を備えた材料が冷却して成型され、前記フィルター片と前記遮光片を前記中空部の位置に留まらせ、前記フィルター片及び前記遮光片を前記固定座体上に固定する。
【手続補正２】
【補正対象書類名】明細書
【補正対象項目名】００１６
【補正方法】変更
【補正の内容】
【００１６】
一実施例において、前記第２接着面が、前記フィルター片の前記遮光片とは反対側の面に位置し、かつ該フィルター片の一部と相互に接着される。
【手続補正３】
【補正対象書類名】明細書
【補正対象項目名】００２２
【補正方法】変更
【補正の内容】
【００２２】
遮光片４０は、環状を呈し、フィルター片３０の支持部２２と互いに向かい合う面とは反対側の面上に設置され、かつ、遮光片４０の外周縁が第１接着空間２３内まで延伸される。
【手続補正４】
【補正対象書類名】特許請求の範囲
【補正対象項目名】請求項１
【補正方法】変更
【補正の内容】
【請求項１】
レンズモジュール内に用いるフィルターアセンブリであって、固定座体と、フィルター片と、遮光片と、接着部材を含み、
前記固定座体が中央に中空部を備え、該中空部の周囲に、前記固定座体から前記中空部に向かって延伸された支持部が設けられ、かつ、該支持部と前記固定座体の間に第１接着空間が形成され、
前記フィルター片が、前記固定座体の中空部の位置に設置され、かつ前記支持部により支持され、該フィルター片の外周縁が該第１接着空間内まで延伸され、
前記遮光片が、環状を呈し、かつ前記フィルター片の前記支持部と互いに向かい合う面とは反対側の面上に設置され、該遮光片の外周縁が該第１接着空間内まで延伸され、
前記接着部材は、前記第１接着空間内に注入された粘着性を備えた材料が冷却して成型され、前記フィルター片と前記遮光片を前記中空部の位置に留まらせ、前記フィルター片及び前記遮光片を前記固定座体上に固定する、
ことを特徴とする、レンズモジュール内に用いるフィルターアセンブリ。
【手続補正５】
【補正対象書類名】特許請求の範囲
【補正対象項目名】請求項１０
【補正方法】変更
【補正の内容】
【請求項１０】
前記第２接着面が、前記フィルター片の前記遮光片とは反対側の面に位置し、かつ該フィルター片の一部と相互に接着されることを特徴とする、請求項８に記載のレンズモジュール内に用いるフィルターアセンブリ。